(57)【要約】【課題】手ぶれ写真とならないように、ホールディング性を向上させると共に、右手によってシャッタチャンスを逃すことなくレリーズを行うことを可能とする。【解決手段】カメラ本体１０と、ライブビュー画像を表示するモニタ部２０と、前記カメラ本体に前記モニタ部を回転自在に支持し、前記モニタ部の表示部を被写体側に向けることができる回転支持部３０と、前記モニタ部が被写体側を向いている状態を検出する状態検出部３１と、前記モニタ部に設けられ、本来機能とレリーズ検出機能とに設定可能なレリーズ代替部４０と、前記状態検出部が自分撮りの状態を検出した場合に、前記レリーズ代替部を前記レリーズ検出機能に設定する機能設定部６１とを備える。【選択図】図１
2013175802.tif 000002
【特許請求の範囲】
【請求項１】
カメラ本体と、
ライブビュー画像を表示するモニタ部と、
前記カメラ本体に前記モニタ部を回転自在に支持し、前記モニタ部の表示部を被写体側に向けることができる回転支持部と、
前記モニタ部が被写体側を向いている状態を検出する状態検出部と、
前記モニタ部に設けられ、本来機能とレリーズ検出機能とに設定可能なレリーズ代替部と、
前記状態検出部が自分撮りの状態を検出した場合に、前記レリーズ代替部を前記レリーズ検出機能に設定する機能設定部と、
を備えた自分撮り機能付きカメラ。
【請求項２】
請求項１に記載の自分撮り機能付きカメラにおいて、
前記レリーズ代替部は、前記モニタ部に設けられ、環境の明るさの変化を検出する照度センサであり、
前記照度センサは、前記レリーズ検出機能に設定された場合であって、前記明るさの変化を検出したときに、レリーズ検出すること、
を特徴とする自分撮り機能付きカメラ。
【請求項３】
請求項１に記載の自分撮り機能付きカメラにおいて、
前記レリーズ代替部は、前記モニタ部の端部に設けられ、前記モニタ部の格納時に前記カメラ本体に係合するラッチ部であり、
前記ラッチ部は、前記レリーズ検出機能に設定された場合であって、前記ラッチ部が押下されたときに、レリーズ検出すること、
を特徴とする自分撮り機能付きカメラ。
【請求項４】
請求項１から請求項３までのいずれか１項に記載の自分撮り機能付きカメラにおいて、
前記レリーズ代替部は、前記モニタ部が被写体側を向いている場合に、前記モニタ部の前記回転支持部から離れた位置にあること、
を特徴とする自分撮り機能付きカメラ。
【発明の詳細な説明】
【技術分野】
【０００１】
本発明は、自分撮り機能付きカメラに関するものである。
【背景技術】
【０００２】
従来のカメラは、撮影者が自分撮りを行う際に、バリアングル機構を有する背面モニタを撮影者側に向けることで、構図の決定を行っていた。
しかし、レリーズ釦は、通常の撮影において最適な配置にデザインされているので、この場合に、左手によるレリーズ動作を強いられると共に、カメラ本体のホールディングが著しく損なわれた状態での撮影となり、手ブレ写真となることが多かった。
【０００３】
この問題を解決するために、上記のような撮影時において、レリーズ釦押下後に遅延時間を設けてから撮影する方法も提案されているが（例えば、特許文献１）、遅延時間を設けることで、シャッタチャンスを逃す可能性があった。
【先行技術文献】
【特許文献】
【０００４】
【特許文献１】特開２００１−２４９３７９号公報
【発明の概要】
【発明が解決しようとする課題】
【０００５】
本発明の課題は、手ぶれ写真とならないように、ホールディング性を向上させると共に、右手によってシャッタチャンスを逃すことなくレリーズを行うことができる自分撮り機能付きカメラを提供することである。
【課題を解決するための手段】
【０００６】
前記課題を解決するために、請求項１の発明は、カメラ本体（１０）と、ライブビュー画像を表示するモニタ部（２０）と、前記カメラ本体に前記モニタ部を回転自在に支持し、前記モニタ部の表示部を被写体側に向けることができる回転支持部（３０）と、前記モニタ部が被写体側を向いている状態を検出する状態検出部（３１）と、前記モニタ部に設けられ、本来機能とレリーズ検出機能とに設定可能なレリーズ代替部（４０，５０）と、前記状態検出部が自分撮りの状態を検出した場合に、前記レリーズ代替部を前記レリーズ検出機能に設定する機能設定部（６１）と、を備えた自分撮り機能付きカメラである。
請求項２の発明は、請求項１に記載の自分撮り機能付きカメラにおいて、前記レリーズ代替部は、前記モニタ部に設けられ、環境の明るさの変化を検出する照度センサ（４０）であり、前記照度センサは、前記レリーズ検出機能に設定された場合であって、前記明るさの変化を検出したときに（ＳＴＥＰ６）、レリーズ検出すること、を特徴とする自分撮り機能付きカメラである。
請求項３の発明は、請求項１に記載の自分撮り機能付きカメラにおいて、前記レリーズ代替部は、前記モニタ部の端部に設けられ、前記モニタ部の格納時に前記カメラ本体に係合するラッチ部（５０）であり、前記ラッチ部は、前記レリーズ検出機能に設定された場合であって、前記ラッチ部が押下されたときに（ＳＴＥＰ１５）、レリーズ検出すること、を特徴とする自分撮り機能付きカメラである。
請求項４の発明は、請求項１から請求項３までのいずれか１項に記載の自分撮り機能付きカメラにおいて、前記ラッチ部は、前記モニタ部が被写体側を向いている場合に、前記モニタ部の前記回転支持部から離れた位置にあること、を特徴とする自分撮り機能付きカメラである。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００７】
本発明によれば、手ぶれ写真とならないように、ホールディング性を向上させると共に、右手によってシャッタチャンスを逃すことなくレリーズを行うことができる、という効果がある。
【図面の簡単な説明】
【０００８】
【図１】本発明による自分撮り機能付きカメラの第１実施形態を示す斜視図である。
【図２】第１実施形態に係る自分撮り機能付きカメラを示すブロック図である。
【図３】第１実施形態に係る自分撮り機能付きカメラの動作を説明するフローチャートである。
【図４】本発明による自分撮り機能付きカメラの第２実施形態を示す斜視図である。
【図５】第２実施形態に係る自分撮り機能付きカメラを示す背面図である。
【図６】第２実施形態に係る自分撮り機能付きカメラのラッチ部を示す断面図である。
【図７】第２実施形態に係る自分撮り機能付きカメラのＣＰＵの動作を示すフローチャートである。
【発明を実施するための形態】
【０００９】
（第１実施形態）
以下、図面等を参照して、本発明の実施の形態について、さらに詳しく説明する。
図１は、本発明による自分撮り機能付きカメラの第１実施形態を示す斜視図である。
第１実施形態のカメラは、カメラ本体１０の裏側に、モニタ部２０が設けられている一眼レフタイプのものである。
カメラ本体１０は、カメラ背面視において左側にグリップ１１が設けられており、グリップ１１の上側には、レリーズ釦１２が配置されている。
【００１０】
モニタ部２０は、ライブビュー画像やメニュー等を表示するＬＣＤなどの表示部２１が設けられている。
ヒンジ機構３０は、Ｘ軸、Ｙ軸の２軸で回転可能なバリアングル機構が好適に用いられ、モニタ部２０をカメラ本体１０に接続している。このヒンジ機構３０は、カメラ背面視において、カメラ本体１０の左端に配置され、カメラ本体１０の左側で表示部２１を任意の角度に向けることが可能となり、自由なアングルでの撮影を実現している。
【００１１】
モニタ部２０は、図１に示すように、そのヒンジ機構３０の回転の中で、表示部２１を被写体側に向けることもでき、表示部２１に写った自分の姿のフレーミングを確認することができる。ヒンジ機構３０は、その内部に状態検出スイッチ３１（図２参照）が設けられており、状態検出スイッチ３１は、この自分撮りのポジションにモニタ部２０の角度を検出し、自分側に向けられたことを検出することができる。
【００１２】
照度センサ４０は、周囲の明るさを検知することができるセンサであり、モニタ部２０の周縁、この実施形態では、カメラ正面視において右上端に設けられている。照度センサ４０は、環境の明るさを検出する本来機能の他に、レリーズ検出をする機能に設定可能であり、レリーズ検出機能に設定された場合には、レリーズ釦１２の代替をする。
【００１３】
図２は、第１実施形態に係る自分撮り機能付きカメラを示すブロック図である。
ＣＰＵ６０には、レリーズ釦１２、照度センサ４０、状態検出スイッチ３１からの出力が接続されており、その出力は、表示部２１及び露光部７０等に接続されている。
ＣＰＵ６０は、機能設定部６１を備えており、この機能設定部６１は、状態検出スイッチ３１が、自分撮りのポジションに切り替えられたときには、照度センサ４０が露光部７０で露光するレリーズ検出機能に設定し、自分撮り以外のポジションでは、周囲の明るさに応じて、表示部２１の明るさを自動的に変更する照明機能に設定する。
【００１４】
図３は、第１実施形態に係る自分撮り機能付きカメラの動作を説明するフローチャートである。
ＳＴＥＰ１において、状態検出スイッチ３１から信号を入力し、ＳＴＥＰ２において、モニタ部２０が自分撮りポジションであるか否かを判定する。
自分撮りポジションでない場合（ＳＴＥＰ２：ＮＯ）は、ＳＴＥＰ３の照明機能に設定し、通常通り、照度センサ４０の出力に応じた表示部２１の明るさ調整を行い、ＳＴＥＰ１へ戻る。
一方、自分撮りポジションであった場合（ＳＴＥＰ２：ＹＥＳ）は、ＳＴＥＰ３において、照度センサ４０をレリーズ検出機能に設定する。また、このとき、表示部２１の明るさは標準値（又は既定値）で制御する（ＳＴＥＰ４）。
そして、照明センサ４０の出力値Ｌを入力し（ＳＴＥＰ５）、出力値Ｌを予め決められた閾値Ｌｓと比較する（ＳＴＥＰ６）。
【００１５】
ＳＴＥＰ６の判定は、以下の状態を示している。自分撮りポジションで使用中であるので、撮影者は、左手でカメラ本体１０のグリップ１１を含む筐体部を保持し、右手でモニタ部２０を保持している。このとき、指で照度センサ４０を隠すことで、照度センサ４０への光の入力を変化させる。つまり、指で照度センサ部４０を隠すことで、出力値Ｌが予め決められた閾値Ｌｓより小さくなるので（ＳＴＥＰ６：ＹＥＳ）、照度センサ４０がレリーズ釦１２と同様の露光動作を行い（ＳＴＥＰ７）、露光後はＳＴＥＰ１へ戻る。
【００１６】
出力値Ｌが予め決められた閾値Ｌｓ以上のときには（ＳＴＥＰ６：ＮＯ）、状態検出スイッチ３１から信号を入力し（ＳＴＥＰ８）、モニタ部２１が自分撮りポジションであるか否かを判定し（ＳＴＥＰ９）、自分撮りポジションである場合には（ＳＴＥＰ９：ＹＥＳ）、ＳＴＥＰ５へ戻り、自分撮りポジションでない場合（ＳＴＥＰ９：ＮＯ）には、ＳＴＥＰ１に戻る。
【００１７】
第１実施形態によれば、状態検出スイッチ３１が自分撮りの状態を検出した場合に、照明センサ４０をレリーズ検出機能に設定するので、撮影者は、左手でカメラ本体１０のグリップ１１を保持し、右手でモニタ部２０を保持しながら、指で照度センサ４０を隠すことで、レリーズ釦１２と同様の露光動作を行うことができる。このため、手ぶれ写真とならないように、ホールディング性を向上させると共に、右手によってシャッタチャンスを逃すことなくレリーズを行うことができる、という効果がある。
【００１８】
また、状態検出スイッチ３１が自分撮りの状態を検出した場合のみに、照度センサ４０がレリーズ釦１２の代わりをするので、この場合以外に間違って照度センサ４０を指で隠しても、レリーズされることなく、誤操作を防止することができる。
【００１９】
さらに、レリーズ代替部は、モニタ部に設けられた照度センサで兼用するので、コストアップを抑えて、実施することができる。
【００２０】
（第２実施形態）
図４は、本発明による自分撮り機能付きカメラの第２実施形態を示す斜視図である。
図５は、第２実施形態に係る自分撮り機能付きカメラを示す背面図である。
図６は、第２実施形態に係る自分撮り機能付きカメラのラッチ部を示す断面図である。
図７は、第２実施形態に係る自分撮り機能付きカメラのＣＰＵの動作を示すフローチャートである。
なお、前述した第１実施形態と同様な機能を果たす部分には、同一の符号を付して、適宜説明を省略する。
【００２１】
第２実施形態は、モニタ部２０の端部に設けられ、モニタ部２０の格納時に進退可能な凸部材５１がカメラ本体１０の凹部１５と係合するラッチ部５０を備えており、ラッチ部５０は、レリーズ検出機能に設定された場合であって、凸部材５１が押下されたときに、レリーズ検出をするようにしたものである。
【００２２】
凸部材５１は、カメラ正面視においてモニタ部２０の上側面の右側にあり、モニタ部２０がカメラ本体１０に格納された図５の状態で、モニタ部２０が不用意に開かないように保持させる部材である。
すなわち、図６に示すように、凸部材５１は、モニタ部２０の内部において、バネ５２で上方に付勢されており、図６（ｂ）の右側面図のように、モニタ部２０がカメラ本体１０に格納動作されたときに（矢印参照）、凸部材５１は、溝１５に係合し、その状態が保持される。
ここで、モニタ部２０内部には、凸部材５１の進退に連動する代替スイッチ５３が設置されている。
【００２３】
第２実施形態では、自分撮りポジションにモニタ部１０が向けられたことが、状態検出スイッチ４０によって検出される（ＳＴＥＰ１２：ＹＥＳ）と、代替スイッチ５３が有効となり（ＳＴＥＰ１３）、この状態において、この代替スイッチ５３の出力信号によって（ＳＴＥＰ１５：ＹＥＳ）、レリーズ検出の代替を行い、露光動作（ＳＴＥＰ１６）を行うことができる。
【００２４】
第２実施形態によれば、第１実施形態の効果に加えて、レリーズ代替部は、ラッチ部５０の凸部材５１が押下されたときに、レリーズ検出をするようにしたので、レリーズ釦１２の操作と同じ感覚で、操作できる、という効果がある。
【００２５】
（変形形態）
以上説明した実施形態に限定されることなく、種々の変形や変更が可能であって、それらも本発明の技術的範囲内である。
（１）レリーズ代替部（照度センサ、ラッチ部等）は、モニタ部が被写体側を向いている場合に、カメラ正面視においてモニタ部の右上端に設ける例で説明したが、ヒンジ機構３０から離れている（遠い）側であればよく、右下端にあってもよい。
（２）モニタ部は、横開きの例で説明したが、縦開きであってもよい。この場合も、レリーズ代替部は、ヒンジ部に対して反対側の遠い位置に設けるのがよい。
【００２６】
（３）第１実施形態において、照度センサ４０をレリーズ検出機能に設定すると、表示部２１の明るさは標準値（又は既定値）で制御するようにしたが、設定直前の明るさで制御するようにしてもよい。
（４）第１実施形態において、指で照度センサ部４０を隠すことで、出力値が予め決められた閾値より小さくなることで、レリーズ検出をするようにしたが、閾値より大きくなることで、レリーズ検出をしてもよい。例えば、夜景等で暗い状態でも、ＬＥＤを設けて置き、指を近づけると反射して、照度センサ部４０が明るくなったことを検出したら、レリーズするようにしてもよい。
【符号の説明】
【００２７】
１０：カメラ本体，１１：グリップ，１２：レリーズ釦，２０：モニタ部，２１：表示部，３０：ヒンジ機構，３１：状態検出スイッチ，４０：照度センサ，５０：ラッチ部，５１：凸部材，５２：バネ，５３：代替スイッチ，６０：ＣＰＵ，６１：機能設定部，７０：露光部
【図１】
2013175802.tif 000003
【図２】
2013175802.tif 000004
【図３】
2013175802.tif 000005
【図４】
2013175802.tif 000006
【図５】
2013175802.tif 000007
【図６】
2013175802.tif 000008
【図７】
2013175802.tif 000009